(57)【特許請求の範囲】
【請求項１】
仕切壁により建屋の中が、利用客が自由に出入りできる客室と、利用客が自由には出入りできない機械室とに仕切られたコイン精米設備であって、客室に面し客操作用の操作盤とは別の箇所にダミーの貨幣収容ボックスが設けられているコイン精米設備。
【請求項２】
仕切壁により建屋の中が、利用客が自由に出入りできる客室と、利用客が自由には出入りできない機械室とに仕切られたコイン精米設備であって、客室に面し客操作用の操作盤とは別の箇所に、ダミーの貨幣収容ボックスを取り出すための扉が設けられているコイン精米設備。
【請求項３】
ダミーの貨幣収容ボックスにおける客室に面する箇所またはダミー貨幣収容ボックスの取出用扉に、キーロック装置が形成されている請求項１または２に記載のコイン精米設備。
【請求項４】
ダミーの貨幣収容ボックスに、操作盤側より連通されたダミーの連通シュートが形成されている請求項１〜３の何れかに記載のコイン精米設備。
【発明の詳細な説明】
【０００１】
【発明の属する技術分野】
本発明はコイン精米設備に関する。
【０００２】
【従来の技術】
コインや紙幣などの貨幣を投入することにより自動的に精米作業を行わせるコイン精米設備は知られている。図４〜図６に示すように、この精米設備は、利用客が玄米や籾米を張込ホッパ１に投入した状態で、貨幣を投入し、白度選択ボタンなどの利用客用の選択押ボタン２を押すことにより、自動的に精米作業が行われ、精米された白米が白米ホッパ３に排出されるようになっている。
【０００３】
コイン精米設備をなす建屋４の内部は、利用客が自由に行き来できる客室５と、精米機本体６や糠用送風機７などが配設されており管理者や保守点検員などの限定した人しか入ることができない機械室８とに、仕切壁９で仕切られている。客室５には、貨幣の投入口１１や利用客が操作する多数の選択押ボタン２などが設けられている操作盤１０が、その前面だけが臨むように配設されている。また、操作盤１０の内部には、コインなどの貨幣を収容した貨幣収容ボックス（図示せず）が設けられており、操作盤１０に設けられたキーロック装置１３などを管理者が解除して操作盤１０の前扉を開けることなどで貨幣収容ボックス内の貨幣を回収できるようになっている。
【０００４】
ところで、コイン精米設備は通常、無人であるため、貨幣収容ボックス内の貨幣の盗難を図る者により、キーロック装置１３や貨幣収容ボックスが設けられている操作盤１０が壊される場合がある。この場合には、貨幣収容ボックス内の貨幣が取られるだけでなく、製造コストが非常に高価である操作盤１０が損傷するため、修理費用が極めて高価となってしまう。また、正常な操作盤１０に交換するまでの期間はコイン精米設備を使用できなくなるという不具合も生じる。
【０００５】
これに対処するものとして、コインなどの貨幣を収容した貨幣収容コインボックスを操作盤とは別途に設けたコイン精米設備が特開平９−２０１５４１号公報に開示されている。図７、図８に示すように、このコイン精米設備においては、利用者操作用の各種の選択ボタン５１が設けられている操作盤５２とは別の箇所に、コインなどの貨幣を溜める貨幣収容ボックス５３が設けられている。また、貨幣収容ボックス５３の一部にはキーロック装置５４が設けられて、盗難できないように図られている。
【０００６】
なお、このコイン精米設備においては、図７に示すように、貨幣収容ボックス５３にコインの投入口５５も設けられているタイプのものや、図８に示すように、操作盤５２にコインの投入口５５が設けられて、連通シュート５６を介して操作盤５２とコイン貨幣収容ボックス５３とが連通されているタイプのものがある。
【０００７】
このコイン精米設備によれば、貨幣収容コインボックス５３を操作盤５２とは別途に設けたので、盗難を図ろうとして、例え、貨幣収容コインボックス５３が壊された場合でも、操作盤５２の損傷を防ぐことができ、これによって、修理費用の低減を図ることができる。
【０００８】
【発明が解決しようとする課題】
しかしながら、図７、図８に示す構成のコイン精米設備においては、コイン貨幣収容ボックス５３だけが単独で設けられているため、盗難対象として目立ちやすくなり、その結果、貨幣収容コインボックス５３を壊すことによる盗難を発生させる可能性が若干高くなって、貨幣の盗難被害額が、図４〜図６に示す従来のコイン精米設備における貨幣収容ボックスからの盗難被害額よりもかえって増加するおそれがある。
【０００９】
また、貨幣収容コインボックス５３に設けられた構成部品と操作盤５２とが機械的または電気的に連動するような構成である場合には、コイン精米設備を使用できなくなることもある。
本発明は上記問題を解決するもので、盗難行為が図られた場合でも、被害額を最小限に抑えることができて、コイン精米設備を使用できなくなることを防止できるコイン精米設備を提供することを目的とするものである。
【００１０】
【課題を解決するための手段】
上記課題を解決するために請求項１記載の発明は、仕切壁により建屋の中が、利用客が自由に出入りできる客室と、利用客が自由には出入りできない機械室とに仕切られたコイン精米設備であって、客室に面し客操作用の操作盤とは別の箇所にダミーの貨幣収容ボックスが設けられているものである。
【００１１】
請求項２記載の発明は、仕切壁により建屋の中が、利用客が自由に出入りできる客室と、利用客が自由には出入りできない機械室とに仕切られたコイン精米設備であって、客室に面し客操作用の操作盤とは別の箇所に、ダミーの貨幣収容ボックスを取り出すための扉が設けられているものである。
これらの請求項１、２の構成によれば、ダミーの貨幣収容ボックスが操作盤とは別の箇所に設けられているため、盗難を図ろうとした者にて、客室に面して設けられているダミーの貨幣収容ボックスが壊された場合でも、損害額は、ダミーの貨幣収容ボックスの費用だけで済み、また、貨幣収容ボックスが偽物であるため、コイン精米設備の営業を継続して行うことができる。なお、盗難を図ろうとした者は、たまたま、この盗難行為を行った時が、貨幣の回収作業の直後であって、貨幣が残っていないと思い違いをする可能性がある。
【００１２】
請求項３記載の発明は、請求項１または２に記載のコイン精米設備において、ダミーの貨幣収容ボックスにおける客室に面する箇所またはダミー貨幣収容ボックスの取出用扉に、キーロック装置が形成されているものである。
請求項４記載の発明は、請求項１〜３の何れかに記載のコイン精米設備において、ダミーの貨幣収容ボックスに、操作盤側より連通されたダミーの連通シュートが形成されているものである。
【００１３】
これらの請求項３、４の構成によれば、ダミーの貨幣収容ボックスなどに、キーロック装置やダミーの連通シュートが設けられているため、貨幣収容ボックスがダミーであることがわかりにくくなって、操作盤などの他の装置を損傷させる可能性をさらに減少させることができる。
【００１４】
【発明の実施の形態】
以下、本発明の実施の形態にかかるコイン精米設備を図面に基づき説明する。なお、従来のコイン精米設備と同様の機能のものには同符号を付し、その説明は一部省略する。
図１、図２に示すように、このコイン精米設備においては、客室５に面し、客操作用の操作盤１０とは別の箇所、具体的には操作盤１０よりも下方の箇所に、ダミーの貨幣収容ボックス２０が設けられている。この貨幣収容ボックス２０は、この貨幣収容ボックス２０が配置される箇所に固定されたボックスケース２１に対して客室５側に出退自在とされ、貨幣収容ボックス２０の上部にはキーロック装置２２が取り付けられている。そして、キーロック装置２２にキー（図示せず）を差し込んでロックすることで、ロック用部材２３がボックスケース２１に係合して、貨幣収容ボックス２０が取り出せないようになっている。
【００１５】
また、ダミーの貨幣収容ボックス２０には、操作盤１０側より連通されたダミーの連通シュート２４も形成されている。
この構成によれば、ダミーの貨幣収容ボックス２０が操作盤１０とは別の箇所に設けられているため、盗難を図ろうとした者にて、客室５に面して設けられているダミーの貨幣収容ボックス２０が壊された場合でも、損害額は、ダミーの貨幣収容ボックス２０の費用だけで済み、また、貨幣収容ボックス２０が偽物であるため、コイン精米設備の営業を何ら支障なく継続して行うことができる。なお、盗難を図ろうとした者は、たまたま、この盗難行為を行った時が、貨幣の回収作業の直後であって、このコイン精米設備には貨幣が残っていないと思い違いをする可能性があり、これによっても、操作盤１０などの他の装置に危害を及ぼすことを低減させることができる。また、ダミーの貨幣収容ボックス２０に、キーロック装置２２やダミーの連通シュート２４が設けられているため、貨幣収容ボックス２０がダミーであることがわかりにくくなって、他の装置に危害を及ぼすことを一層低減させることができる。
【００１６】
なお、上記実施の形態においては、客室５に面し操作盤１０とは別の箇所に貨幣収容ボックス２０を配設した場合を述べたが、これに代えて、客室５に面し操作盤１０とは別の箇所に、ダミーの貨幣収容ボックス２０を取り出すための扉２５を開閉自在に設け、この扉２５にキーロック装置２２を取り付けてもよい。これによれば、ダミーの貨幣収容ボックス２０を取り出すための扉２５が別途に設けられているため、貨幣収容ボックス２０がダミーであることが一層わかりにくくなって、他の装置に危害を及ぼすことをさらに低減させることができる。
【００１７】
なお、本物の貨幣収容ボックスは従来通り、操作盤１０に内蔵してもよいが、これに限るものではなく、機械室側の他の箇所などの安全な場所に設けるとよい。
【００１８】
【発明の効果】
以上のように本発明によれば、客室に面し客操作用の操作盤とは別の箇所にダミーの貨幣収容ボックスやダミーの貨幣収容ボックスを取り出すための扉を設けることにより、盗難を図ろうとした者にて、客室に面して設けられているダミーの貨幣収容ボックスや扉が壊された場合でも、損害額は、ダミーの貨幣収容ボックスや扉だけの最小限の費用で済み、また、貨幣収容ボックスが偽物であるため、コイン精米設備の営業を継続して行うことができる。
【００１９】
また、ダミーの貨幣収容ボックスや扉における客室に面する箇所に、キーロック装置やダミーの連通シュートを設けることで、貨幣収容ボックスがダミーであることがわかりにくくなって、操作盤などの他の装置を損傷させる可能性をさらに減少させることができる。
【図面の簡単な説明】
【図１】本発明の実施の形態にかかるコイン精米設備の正面図である。
【図２】図１におけるＡ−Ａ線矢視断面図である。
【図３】本発明の他の実施の形態にかかるコイン精米設備の要部断面図である。
【図４】従来のコイン精米設備の平面図である。
【図５】同従来のコイン精米設備の正面図である。
【図６】同従来のコイン精米設備の要部正面図である。
【図７】他の従来のコイン精米設備の要部正面図である。
【図８】他の従来のコイン精米設備の要部正面図である。
【符号の説明】
５        客室
１０      操作盤
２０      ダミーの貨幣収容ボックス
２２      キーロック装置
２４      ダミーの連通シュート
２５      扉
【図１】
0003618258.tif 000002
【図２】
0003618258.tif 000003
【図３】
0003618258.tif 000004
【図４】
0003618258.tif 000005
【図５】
0003618258.tif 000006
【図６】
0003618258.tif 000007
【図７】
0003618258.tif 000008
【図８】
0003618258.tif 000009